(57)【要約】  本発明は、格子ベースの暗視野及び／又は位相コントラストＸ線撮像に関する。画質を向上させるために、患者を照射することにより患者を撮像する格子ベースの暗視野及び／又は位相コントラストＸ線撮像用のラジオグラフィシステム１０が提供される。システムは、線源ユニット１２、検出ユニット１４及び患者当接面１８を備えた患者支持ユニット１６を含む。線源ユニット１２と検出ユニット１４とは光軸１３に沿って配置され、患者支持ユニット１６はそれらの間に配置される。更に、光軸１３に沿った線源ユニット１２と患者当接面１８との間の当接距離ｄＡが調整可能である。感度と視野との間のトレードオフ（例えば最適なトレードオフ）が患者固有に達成可能であるように、当接距離ｄＡと、当接距離ｄＡに基づく実際の感度とは、撮像の際に考慮される。
2020513973.tif 000002
【特許請求の範囲】
【請求項１】
患者を照射することにより患者を撮像するための格子ベースの暗視野及び／又は位相コントラストＸ線撮像用のラジオグラフィシステムであって、
線源ユニットと、
検出ユニットと、
患者当接面を有する患者支持ユニットと、
を含み、
前記線源ユニットと前記検出ユニットとは、光軸に沿って配置され、前記患者支持ユニットは、前記線源ユニットと前記検出ユニットとの間に配置され、
前記光軸に沿った前記線源ユニットと前記患者当接面との間の当接距離は、調整可能であり、
感度と視野との間のトレードオフが患者固有に達成可能であるように、撮像の際に前記当接距離に基づいて、実際の感度及び前記当接距離が考慮される、システム。
【請求項２】
患者特有のやり方での感度と視野との間の最適なトレードオフが達成可能である、請求項１に記載のラジオグラフィシステム。
【請求項３】
前記線源ユニットは、第１の格子及び第２の格子を含み、前記検出ユニットは、第３の格子を含み、
前記第１の格子と前記第２の格子との間の距離が、前記第２の格子と前記第３の格子との間の距離よりも小さい反転配置が利用される、請求項１又は２に記載のラジオグラフィシステム。
【請求項４】
前記光軸に沿った前記線源ユニットと前記患者当接面との間の前記当接距離は、前記患者支持ユニットを動かすことにより調整可能である、請求項１乃至３の何れか一項に記載のラジオグラフィシステム。
【請求項５】
前記光軸に沿った前記線源ユニットと前記患者当接面との間の前記当接距離は、離散的に調整可能である、請求項１乃至４の何れか一項に記載のラジオグラフィシステム。
【請求項６】
前記光軸に沿った前記線源ユニットと前記患者当接面との間の前記当接距離は、連続的に調整可能である、請求項１乃至４の何れか一項に記載のラジオグラフィシステム。
【請求項７】
位置検出デバイスと、
画像生成ユニットと、
を含み、
前記位置検出デバイスは、前記患者当接面の実際の位置を決定して、前記実際の位置を前記画像生成ユニットに供給し、
前記画像生成ユニットは、前記実際の位置を使用して画像を生成する、請求項１乃至６の何れか一項に記載のラジオグラフィシステム。
【請求項８】
前記位置検出デバイスは、視野を示すための指示ユニットを含む、請求項７に記載のラジオグラフィシステム。
【請求項９】
前記位置検出デバイスは、前記線源ユニットと前記患者当接面との間の前記当接距離を決定し、
前記位置検出デバイスは、前記線源ユニットと前記患者当接面との間の前記当接距離を決定するステレオカメラを含む、請求項７又は８に記載のラジオグラフィシステム。
【請求項１０】
照射対象の前記患者の幾何学的形状を決定し、前記幾何学的形状に基づいて前記視野を決定し、前記視野に基づいて前記線源ユニットと前記患者当接面との間の前記当接距離を決定する、請求項１乃至６の何れか一項に記載のラジオグラフィシステム。
【請求項１１】
少なくとも２つの取得モードをサポートし、一方の取得モードでは、視野が広くて暗視野感度が低く、他方の取得モードでは、視野が狭くて暗視野感度が高い、請求項１乃至１０の何れか一項に記載のラジオグラフィシステム。
【請求項１２】
請求項１乃至１１の何れか一項に記載のラジオグラフィシステムを使用することにより、暗視野及び／又は位相コントラストＸ線画像を捕捉する方法であって、
ａ）前記光軸に沿って前記患者当接面と前記線源ユニットとの間の前記当接距離を調整させるステップと、
ｂ）前記患者当接面を一時的に固定するステップと、
ｃ）照射対象の前記患者を照射するステップと、
ｄ）暗視野及び／又は位相コントラストＸ線画像を捕捉するステップと、
を含む、方法。
【請求項１３】
前記ステップａ）について、
ａ１）前記線源ユニットと前記患者当接面との間に照射対象の患者を配置するステップと、
ａ２）視野が関心領域と一致するまで、前記線源ユニットと前記照射対象の患者との間の実際の位置を決定するステップと、
ａ３）前記線源ユニットと前記照射対象の患者との間の前記実際の位置を画像生成ユニットに供給するステップと、
が設けられ、
ターゲット距離が、前記当接距離を調整させるために使用され、
前記画像生成ユニットは、前記線源ユニットと前記照射対象患者との間の前記実際の位置に基づく実際の感度を、画像を生成するために考慮に入れる、請求項１２に記載の方法。
【請求項１４】
処理ユニットによって実行されると、請求項１２又は１３に記載の方法のステップを行う、請求項１乃至１１の何れか一項に記載の装置を制御するためのコンピュータプログラム。
【請求項１５】
請求項１４に記載のコンピュータプログラムを格納した、コンピュータ可読媒体。
【発明の詳細な説明】
【技術分野】
【０００１】
本発明は、格子ベースの暗視野及び／又は位相コントラストＸ線撮像用のラジオグラフィシステム、並びに、暗視野及び／又は位相コントラストＸ線画像を捕捉する方法に関する。
【背景技術】
【０００２】
標準的なＸ線撮像技術は、照射対象物体を横切るときの当該物体による減衰によるＸ線ビーム強度の減少に依存し、当該減少は、Ｘ線検出器を用いて測定することができる。干渉法を使用することにより、例えばビームに３つの格子があるタルボ・ロー（Talbot-Lau）式干渉計を使用することにより、２つの追加の物理的効果が撮像に使用できるコントラストを作成する。位相コントラストＸ線撮像では、画像データを作成するために、物体を通過するＸ線ビームの屈折による位相変化に関する情報を使用する。暗視野コントラストＸ線撮像では、小角散乱に関する情報を使用する。暗視野及び／又は位相コントラストＸ線撮像は、反転配置を利用して行われることがある。しかし、システムの感度と達成される視野との間にトレードオフがあることが示されている。
【発明の概要】
【発明が解決しようとする課題】
【０００３】
格子ベースの暗視野Ｘ線位相コントラスト撮像用のラジオグラフィシステムで捕捉される画像の品質を向上させる必要がある。
【課題を解決するための手段】
【０００４】
本発明の目的は、独立請求項の主題によって解決され、更なる実施形態は、従属請求項に組み込まれる。なお、以下に説明する本発明の態様は、格子ベースの暗視野及び／又は位相コントラストＸ線撮像用のラジオグラフィシステム、並びに、暗視野及び／又は位相コントラストＸ線画像を捕捉する方法にも適用されることに留意されたい。
【０００５】
本発明によれば、格子ベースの暗視野及び／又は位相コントラストＸ線撮像用のラジオグラフィシステムが提供される。格子ベースの暗視野及び／又は位相コントラストＸ線撮像用のラジオグラフィシステムは、線源ユニットと、検出ユニットと、患者当接面を有する患者支持体とを含む。線源ユニット及び検出ユニットは光軸に沿って配置され、患者支持体はそれらの間に配置される。光軸に沿った線源ユニットと患者当接面との間の距離は調整可能である。当接距離及び当接距離に基づく実際の感度が、感度と視野との間のトレードオフが患者固有に達成可能であるように撮像の際に考慮される。
【０００６】
効果として、患者の位置決めを調整させることができるため、照射対象物体、即ち、患者の内部での小角散乱に対する高い感度が回避される。放射線源の近くでの位置決めでは、倍率が上がり、視野が狭くなる。典型的に診断を容易にするより優れたコントラスト対ノイズ比をもたらすので、高感度が提供される。したがって、画質が向上される。
【０００７】
別の例では、格子ベースの暗視野及び／又は位相コントラストＸ線撮像用のラジオグラフィシステムが提供される。格子ベースの暗視野及び／又は位相コントラストＸ線撮像用のラジオグラフィシステムは、線源ユニットと、検出ユニットと、患者当接面を有する患者支持体とを含む。線源ユニット及び検出ユニットは光軸に沿って配置され、患者支持体はそれらの間に配置される。光軸に沿った線源ユニットと患者当接面との間の距離は調整可能である。
【０００８】
線源ユニットと患者当接面との間の距離は、当接距離ｄＡとも呼ぶことができる。
【０００９】
格子ベースの暗視野及び／又は位相コントラストＸ線撮像技術では、ビームに３つの格子、又は、線源がコヒーレントなＸ線を提供する場合は少なくとも２つの格子を挿入する必要がある。
【００１０】
一例では、線源ユニットは、第１の格子Ｇ０と、第１の格子の下流に設けられる第２の格子Ｇ１とを含み、検出ユニットは第３の格子Ｇ２を含む。感度は、患者が第２の格子Ｇ１に位置するときに最大となり、第３の格子Ｇ２において０となるまで線形に減少する。
【００１１】
患者支持ユニットの可動性は、患者支持ユニットの再配置に関連する。再配置は、シフトとも呼ぶことができる。
【００１２】
一例によれば、線源ユニットは、第１の格子Ｇ０及び第２の格子Ｇ１を含み、検出ユニットは第３の格子Ｇ２を含む。格子ベースの暗視野及び／又は位相コントラストＸ線撮像用のラジオグラフィシステムは、第１の格子Ｇ０と第２の格子Ｇ１との間の距離が、第２の格子Ｇ１と第３の格子Ｇ２との間の距離よりも小さい反転配置を利用する。
【００１３】
反転配置（inverse geometry）との用語は、第１の格子Ｇ０と第２の格子Ｇ１との間の距離が、第２の格子Ｇ１と第３の格子Ｇ２との間の距離よりも小さく、物体、即ち、患者が、第２の格子と第３の格子との間に置かれる構成に関する。
【００１４】
一例によれば、格子ベースの暗視野及び／又は位相コントラストＸ線撮像用のラジオグラフィシステムは、第１の格子Ｇ０と第２の格子Ｇ１との間の距離が、第２の格子Ｇ１と第３の格子Ｇ２との間の距離と同じである対称配置を利用する。
【００１５】
別の代替オプションでは、格子ベースの暗視野及び／又は位相コントラストＸ線撮像用のラジオグラフィシステムは、第１の格子Ｇ０と第２の格子Ｇ１との間の距離が、第２の格子Ｇ１と第３の格子Ｇ２との間の距離よりも大きい、いわゆる直接配置（direct geometry）を利用する。例えば患者は第１の格子と第２の格子との間に置かれる。
【００１６】
一例では、光軸に沿った線源ユニットと患者当接面との間の当接距離ｄＡは、線源ユニットを移動させることにより調整可能である。
【００１７】
患者用の接触面は、例えば大きい、中くらい及び小さい患者について光軸に沿って幾つかの別個の位置があってよい。
【００１８】
別の例によると、格子ベースの暗視野及び／又は位相コントラストＸ線撮像用のラジオグラフィシステムは、位置検出デバイスと画像生成ユニットとを含む。位置検出デバイスは、患者当接面の実際の位置を決定し、実際の位置を画像生成ユニットに供給する。画像生成ユニットは、実際の位置を使用して画像を生成する。
【００１９】
画像用データの生成では、実際の感度が考慮される。患者支持体は、感度と視野との間の最適なトレードオフが患者固有に達成されるように、光軸に沿って線源ユニットと検出ユニットとの間に設けられる。
【００２０】
一例によれば、格子ベースの暗視野及び／又は位相コントラストＸ線撮像用のラジオグラフィシステムは、視野を示すための指示ユニットを含む。
【００２１】
別の例によれば、位置検出デバイスは、線源ユニットと患者当接面との間の当接距離ｄＡを決定する。
【００２２】
一例によれば、位置検出デバイスはステレオカメラを含み、ステレオカメラが、線源ユニットと患者当接面との間の当接距離ｄＡを決定する。
【００２３】
この基本技術を使用して、照射対象物体全体の撮像を可能にする最適な（つまり最大の）感度を計算及び設定することを提案する。ステレオカメラは、患者の大きさを決定し、線源と患者当接面との間の適切な当接距離ｄＡを決定する。
【００２４】
別の例によれば、格子ベースの暗視野及び／又は位相コントラストＸ線撮像用のラジオグラフィシステムは、照射対象患者の幾何学的形状を決定する。システムはまた、幾何学的形状に基づいて視野を決定し、視野に基づいて線源ユニットと患者当接面、即ち、照射対象物体との間の距離を決定する。線源ユニットと患者当接面との間の距離は、患者距離ｄＰ又は物体距離ｄＯとも呼ぶことができる。
【００２５】
一例では、ステレオカメラは、人間の胸部の解剖モデルと共に使用されて、中肺平面から接触面までの距離が推定される。
【００２６】
別の例によれば、システムは、少なくとも２つの取得モードをサポートする。１つの取得モードでは、視野が広く暗視野感度が低く（底面が検出器に近い）、もう１つの取得モードでは、視野が狭く暗視野感度が高い（表面が検出器から離れている）。
【００２７】
本発明によれば、前述の例の１つによるラジオグラフィシステムを使用することにより、暗視野及び／又は位相コントラストＸ線画像を捕捉する方法もまた提供される。方法は、
ａ）光軸に沿って患者当接面と線源ユニットとの間の当接距離ｄＡを調整させるステップと、
ｂ）患者当接面を第１の位置に一時的に固定するステップと、
ｃ）照射対象患者を照射するステップと、
ｄ）暗視野及び／又は位相コントラストＸ線画像を捕捉するステップとを含む。
【００２８】
一例によれば、光軸に沿って患者当接面と線源ユニットとの間の当接距離ｄＡを調整させるステップａ）は、
ａ１）線源ユニットと患者当接面との間に照射対象患者を配置するサブステップと、
ａ２）視野が関心領域と一致するまで、線源ユニットと照射対象患者との間の実際の位置を決定するサブステップと、
ａ３）線源ユニットと照射対象患者との間の実際の位置を画像生成ユニットに供給するサブステップとを含む。ターゲット距離ｄＴは、当接距離を調整させるために使用され、画像生成ユニットは、線源ユニットと照射対象患者との間の実際の位置に基づく実際の感度を画像生成の際に考慮に入れる。
【００２９】
本発明によれば、格子ベースの暗視野及び／又は位相コントラストＸ線撮像用のラジオグラフィシステムを制御するためのコンピュータプログラム要素が提供され、当該コンピュータプログラム要素は、処理ユニットによって実行されると、暗視野及び／又は位相コントラストＸ線画像を捕捉する方法ステップを行う。
【００３０】
本発明は、格子ベースの暗視野及び／又は位相コントラストＸ線撮像のために光軸に沿った患者の位置を特定するシステム及び方法に関する。患者は、線源ユニットか又は検出ユニットの隣に位置付けられる。指示ユニットが、その円錐状の光を用いて視野を照らす。次のステップでは、視野が関心領域と一致するまで患者を移動させる。システムの感度と視野との間の最適なトレードオフで画像が生成されるように、線源ユニットと患者との間の距離ｄＴが考慮される。
【００３１】
本発明のこれらの態様及び他の態様は、以下に説明される実施形態を参照して明らかになり、説明される。
【図面の簡単な説明】
【００３２】
本発明の例示的な実施形態を、次の図面を参照して以下に説明する。
【００３３】
【図１】図１は、格子ベースの暗視野及び／又は位相コントラストＸ線撮像用のラジオグラフィシステムの概略図を示す。
【図２】図２は、２つの異なる位置でラジオグラフィシステム内に配置された患者の概略図を示す。
【図３】図３は、関心領域の視野の概略図を示す。
【図４ａ】図４ａは、光軸に沿った感度の分布を示す。
【図４ｂ】図４ｂは、光軸に沿った感度の分布を示す。
【図４ｃ】図４ｃは、光軸に沿った視野の分布を示す。
【図５】図５は、暗視野及び／又は位相コントラストＸ線画像を捕捉する方法の一例を示す。
【発明を実施するための形態】
【００３４】
図１は、格子ベースの暗視野及び／又は位相コントラストＸ線撮像用のラジオグラフィシステム１０を示す。格子ベースの暗視野及び／又は位相コントラストＸ線撮像用のラジオグラフィシステム１０は、線源ユニット１２と、患者当接面１８を備えた検出ユニット１４とを含む。線源ユニット１２及び検出ユニット１４は、光軸１３に沿って配置され、患者当接面１８を有する患者支持ユニット１６がそれらの間に配置される。患者支持ユニットは、光軸1３に沿った少なくとも２つの異なる位置に一時的に固定されるように移動可能に構成される。格子ベースの暗視野及び／又は位相コントラストＸ線撮像用のラジオグラフィシステム１０は更に、位置検出デバイス２０及び画像生成ユニット２２を含んでよい。位置検出デバイス２０は、患者当接面１８の実際の位置を決定して、画像生成ユニット２２に実際の位置を供給し、画像生成ユニット２２は、実際の位置を使用して画像を生成する。
【００３５】
図２ａ及び図２ｂは、患者当接面１８の隣に立っている患者の２つの異なる位置を示す。図２ａでは、患者と検出ユニット１４との間の距離は、図２ｂの視野２６と比較して小さく、したがって視野２６は拡大している。
【００３６】
一例によれば、光軸１３に沿った線源ユニット１２と患者当接面１８との間の当接距離ｄＡは、離散的に調整可能である。
【００３７】
一例では、光軸１３に沿った線源ユニット１２と患者当接面１８との間の当接距離ｄＡは、例えば大きい、中くらい、小さい患者について光軸１３に沿って幾つかの別個の位置で分離される。
【００３８】
一例では、離散位置は１ｃｍのステップを含む。別の例では、離散位置は１ｃｍ乃至５ｃｍのステップを含む。
【００３９】
別の例によれば、光軸１３に沿った線源ユニット１２と患者当接面１８との間の当接距離ｄＡは、連続的に調整可能である。
【００４０】
一例によれば、患者の患者当接面１８は、最小位置と最大位置との間で光軸１３に沿って連続的に移動する。
【００４１】
図３は、患者の胸部の視野２６を示す。視野２６は、指示ユニット２４を介して示される。指示ユニット２４は、ライトバイザとして構成されてもよい。ライトバイザは、Ｘ線が照射される領域の境界を示す。ライトバイザは、その円錐状の光で視野を照らす。
【００４２】
視野という用語は、検査対象領域とも呼ぶことができる。
【００４３】
一例では、指示ユニットは焦点層位置決めビームである。
【００４４】
検査対象領域は、関心領域とも呼ぶことができる。
【００４５】
システムの感度Ｓと画像の視野は、線源ユニット１２から患者当接面１８までの距離ｄＡに応じた相互依存性を有する。
【００４６】
図４ａは、０（ゼロ）の感度Ｓを有する格子Ｇ０から開始して、格子Ｇ１における最大感度まで線形に上昇する光軸１３に沿った感度Ｓの分布を示す。感度Ｓは、格子Ｇ１から格子Ｇ２における０まで線形に減少する。一例によれば、格子Ｇ０及び格子Ｇ１は、線源ユニット１２に一体化されている。
【００４７】
図４ｂは、光軸Ｄに沿った感度Ｓの分布を示す。感度Ｓは、線源ユニット１２の放射線出口（例えばＸ線管のＸ線窓）において最大であり、検出ユニット１４内に配置された格子Ｇ２における０まで線形に減少する。
【００４８】
図４ｃは、光軸Ｄに沿った視野２６の分布を示す。視野２６は、線源ユニット１２のすぐ隣で最小であり、検出ユニット１４のすぐ隣で最大となるまで線形に大きくなる。
【００４９】
詳細には示さない例では、システムは、少なくとも２つの取得モードをサポートする。１つの取得モードでは、視野が広く暗視野感度が低く（底面が検出器に近い）、もう１つの取得モードでは、視野が狭く暗視野感度が高い（表面が検出器から離れている）。
【００５０】
図５は、以下のステップを含む暗視野及び／又は位相コントラストＸ線画像を捕捉する方法１００を示す。
ステップａ）とも呼ばれる第１のステップ１０２において、患者当接面と線源ユニットとの間の当接距離ｄＡが光軸に沿って調整される。
ステップｂ）とも呼ばれる第２のステップ１０４において、患者当接面が一時的に固定される。
ステップｃ）とも呼ばれる第３のステップ１０６において、照射対象患者が照射される。
ステップｄ）とも呼ばれる第４のステップ１０８において、暗視野及び／又は位相コントラストＸ線画像が捕捉される。
【００５１】
オプションでは、上記方法は、ステップａ）について３つのサブステップがあることで拡張される。
ステップａ１）とも呼ばれる第１のサブステップ１１０において、照射対象患者が、線源ユニットと患者当接面との間に配置される。
ステップａ２）とも呼ばれる第２のサブステップ１１２において、線源ユニットと照射対象物体との間のターゲット距離ｄＴが、視野が関心領域と一致するまで決定される。ターゲット距離ｄＴは、距離を調整させるために使用される。
ステップａ３）とも呼ばれる第３のサブステップ１１４において、線源ユニットと照射対象物体との間の距離が画像生成ユニットに供給される。画像生成ユニットは、線源ユニットと照射対象物体との間の距離に基づく実際の感度Ｓを、画像生成の際に考慮に入れる。
【００５２】
一例では、位置決めは、離散的に又は連続的に行われ、距離の調整は、ステレオカメラを介して行われる。
【００５３】
一例によれば、視野が関心領域と一致するまで、患者当接面と線源ユニットとの間の距離が調整される。
【００５４】
「一致する」との用語は、視野における関心領域の割合が最大となることを指すことができる。
【００５５】
本発明の別の例示的な実施形態では、前述の実施形態の１つによる方法の方法ステップを適切なシステムで実行するように適応されていることを特徴とするコンピュータプログラム又はコンピュータプログラム要素が提供される。
【００５６】
したがって、コンピュータプログラム要素は、コンピュータユニットに記憶されていてもよい。当該コンピュータユニットも、本発明の一実施形態の一部であってよい。当該コンピュータユニットは、上記方法のステップを行うか又はステップの実行を誘導する。更に、コンピュータユニットは、上記装置のコンポーネントを動作させる。コンピュータユニットは、自動的に動作するか及び／又はユーザの命令を実行する。コンピュータプログラムが、データプロセッサの作業メモリにロードされてよい。したがって、データプロセッサは、本発明の方法を実行する能力を備えている。
【００５７】
本発明のこの例示的な実施形態は、最初から本発明を使用するコンピュータプログラムと、アップデートによって、既存のプログラムを、本発明を使用するプログラムに変えるコンピュータプログラムとの両方を対象とする。
【００５８】
更に、コンピュータプログラム要素は、上記方法の例示的な実施形態の手順を満たすすべての必要なステップを提供することができる。
【００５９】
本発明の更なる例示的な実施形態によれば、ＣＤ−ＲＯＭといったコンピュータ可読媒体が提示される。コンピュータ可読媒体に、コンピュータプログラム要素が記憶され、コンピュータプログラム要素は上記セクションに説明されている。
【００６０】
コンピュータプログラムは、他のハードウェアと共に又は他のハードウェアの一部として供給される光学記憶媒体又は固体媒体といった適切な媒体上に記憶される及び／又は分散配置されるが、インターネット又は他の有線若しくは無線通信システムを介した形態といった他の形態で分配されてもよい。
【００６１】
しかし、コンピュータプログラムは、ワールドワイドウェブといったネットワークを介して提示され、当該ネットワークからデータプロセッサの作業メモリにダウンロードされてもよい。本発明の更なる例示的な実施形態によれば、ダウンロード用にコンピュータプログラム要素を利用可能にする媒体が提供され、当該コンピュータプログラム要素は、本発明の上記実施形態のうちの１つによる方法を行うように構成される。
【００６２】
なお、本発明の実施形態は、様々な主題を参照して説明されている。具体的には、方法タイプのクレームを参照して説明される実施形態もあれば、デバイスタイプのクレームを参照して説明される実施形態もある。しかし、当業者であれば、上記及び下記の説明から、特に明記されない限り、１つのタイプの主題に属する特徴の任意の組み合わせに加えて、様々な主題に関連する特徴の任意の組み合わせも、本願によって開示されていると見なされると理解できるであろう。しかし、すべての特徴は、特徴の単なる足し合わせ以上の相乗効果を提供する限り、組み合わされることが可能である。
【００６３】
本発明は、図面及び上記説明において詳細に例示され、説明されたが、当該例示及び説明は、例示的に見なされるべきであり、限定的に見なされるべきではない。本発明は、開示される実施形態に限定されない。開示された実施形態の他の変形態様は、図面、開示内容及び従属請求項の検討から、請求項に係る発明を実施する当業者によって理解され、実施される。
【００６４】
請求項において、「含む」との用語は、他の要素又はステップを排除するものではなく、また、「ａ」又は「ａｎ」との不定冠詞も、複数形を排除するものではない。単一のプロセッサ又は他のユニットが、請求項に引用される幾つかのアイテムの機能を果たしてもよい。特定の手段が相互に異なる従属請求項に記載されることだけで、これらの手段の組み合わせを有利に使用することができないことを示すものではない。請求項における任意の参照符号は、範囲を限定するものと解釈されるべきではない。
【図１】
2020513973.tif 000003
【図２ａ）】
2020513973.tif 000004
【図２ｂ）】
2020513973.tif 000005
【図３】
2020513973.tif 000006
【図４ａ）】
2020513973.tif 000007
【図４ｂ）】
2020513973.tif 000008
【図４ｃ）】
2020513973.tif 000009
【図５】
2020513973.tif 000010
【国際調査報告】
2020513973.tif 000011
2020513973.tif 000012